(57)【要約】【課題】  壜口部を確実にシールすることができ、容易に開栓することができ、開栓時に音がする炭酸飲料用キャップを提供する。【解決手段】  軟質材料からなる中栓１と、硬質の外蓋２とからなる。中栓１は天板３と壜口部の内周に接する円筒脚部６とを備える。外蓋２はスクリュー式であり、外蓋２の内部に中栓１の円筒脚部６の直上位置を押圧する環状突起１１を設ける。中栓１の天板３が壜口部の天面４よりも外側に延び、外蓋２の内部に形成された段部１３により壜口部の外周１４に密着される構造とする。外蓋２のみを回転させれば容易に開栓することができる。【選択図】    図１
2005186986.tif 000002
【特許請求の範囲】
【請求項１】
天板と壜口部の内周に接する円筒脚部とを備えた比較的軟質の中栓と、壜口部にねじ込まれるスクリューを備えた比較的硬質の外蓋とからなることを特徴とする炭酸飲料用キャップ。
【請求項２】
外蓋の内部に、中栓の円筒脚部の直上位置を押圧する環状突起を設けたことを特徴とする請求項１に記載の炭酸飲料用キャップ。
【請求項３】
中栓の天板が壜口部の天面よりも外側に延び、外蓋の内部に形成された段部により壜口部の外周に密着されることを特徴とする請求項１または２に記載の炭酸飲料用キャップ。
【発明の詳細な説明】
【技術分野】
【０００１】
本発明は、炭酸飲料用キャップに関するものであり、特にノンアルコールのシャンパン飲料に適した炭酸飲料用キャップに関するものである。
【背景技術】
【０００２】
結婚式やパーティなどの席上で開栓されることが多いシャンパンのキャップは、コルク栓を針金で壜口部に固定したものであり、針金を取り除いてコルク栓を押し上げると内部の炭酸ガスの圧力によってコルク栓がポンという音とともに飛び出すものである。また特許文献１に示すように、針金の代わりに外蓋を用いたキャップも用いられている。
【０００３】
しかし子供たちがクリスマス会やお誕生パーティなどで飲むノンアルコールのシャンパン飲料の場合には、飛び出したコルク栓が危険である。このため通常の一体型の合成樹脂製キャップが用いられているが、開栓する際に徐々に内部の炭酸ガスが抜けるため、シャンパン飲料に特有のポンという音がしない。また流通段階における炭酸ガスの洩れを防止するために壜口部との嵌合をきつくしておくと、子供の力では容易に開栓することができないという問題があった。
【特許文献１】特開平９−７７１０５号公報
【発明の開示】
【発明が解決しようとする課題】
【０００４】
本発明は上記した従来の問題点を解決し、流通段階における炭酸ガスの洩れがないように壜口部を確実にシールすることができ、しかも子供の力でも容易に開栓することができるうえ、開栓時にシャンパン飲料に特有のポンという音がするようにした炭酸飲料用キャップを提供するためになされたものである。
【課題を解決するための手段】
【０００５】
上記の課題を解決するためになされた本発明の炭酸飲料用キャップは、天板と壜口部の内周に接する円筒脚部とを備えた比較的軟質の中栓と、壜口部にねじ込まれるスクリューを備えた比較的硬質の外蓋とからなることを特徴とするものである。なお、外蓋の内部に中栓の円筒脚部の直上位置を押圧する環状突起を設けた構造とすることが好ましく、また中栓の天板が壜口部の天面よりも外側に延び、外蓋の内部に形成された段部により壜口部の外周に密着される構造とすることが好ましい。
【発明の効果】
【０００６】
本発明の炭酸飲料用キャップは、天板と壜口部の内周に接する円筒脚部とを備えた比較的軟質の中栓をスクリュー式の外蓋によって壜口部に押圧する構造であるため、開栓前には完全なシール性が得られる。また本発明の炭酸飲料用キャップは中栓とは分離されたスクリュー式の外蓋のみを回転させればよいので、子供の力でも容易に開栓することができる。しかも外蓋を緩めて行くと軟質材料からなる中栓は炭酸ガスの圧力により徐々に押し出され、壜口部の内周に接する円筒脚部が壜口部から外れた瞬間にポンという音を発生する。
【発明を実施するための最良の形態】
【０００７】
以下に本発明の好ましい実施形態を示す。
図１は本発明の炭酸飲料用キャップを壜口部に嵌合した状態の断面図であり、１は中栓、２は外蓋である。中栓１はエラストマーなどの軟質材料からなり、外蓋２は耐熱性のポリプロピレンなどの硬質材料からなる。請求項において「比較的」の語を用いたのは、中栓１と外蓋２の硬さの相対的な関係を表現するためである。
【０００８】
中栓１は壜口部の天面４を覆う天板３と、壜口部の内周５に接する円筒脚部６とを備えたものである。天板３の外径は壜口部の外径よりも大きく、外蓋２のない状態では壜口部よりも１〜２mm程度外側に延びるようになっている。
【０００９】
外蓋２はスカート部７の内面に、壜口部の外周に形成されたスクリュー８とかみ合うネジ山９を備えている。またその上部内面には、内外二重の環状突起１０，１１が設けられている。内側の環状突起１０は中栓１の中央部を押圧するためのものである。また外側の環状突起１１は図１に示すように中栓１の円筒脚部６の直上位置を押圧するためのものである。なお外側の環状突起１１の先端には小さいV字状部１２が形成されており、円筒脚部６の直上を集中的に押圧してシール効果を高めている。
【００１０】
さらに外蓋２のこのV字状部１２よりも外側の部分は水平に延び、スカート部７の基部とつながる部分に、段部１３が形成されている。この段部１３は前記した中栓１の天板３の先端部を下側に折り曲げ、壜口部の外周１４に密着させる役割を持つ。
【００１１】
このように構成された本発明の炭酸飲料用キャップは、ノンアルコールのシャンパン飲料壜などに打栓して用いられるものであり、壜口部の天面４及び内周５に接する軟質の中栓１をスクリュー式の外蓋２によって壜口部に密着させる構造である。壜内部の炭酸ガスの圧力により中栓１は外向きの力を受けるが、スクリュー式の外蓋２が中栓１を強固に固定しているため、流通段階においては確実なシール性が確保される。
【００１２】
特に実施形態のように中栓１の円筒脚部６の直上位置を外蓋２の環状突起１１によって押圧する構造としておけば、環状突起１１の基部を壜口部の内面に確実に密着させることができ、シール性を高めることができる。さらに実施形態のように中栓１の天板３の外周を外蓋２の内部に形成された段部１３により壜口部の外周に密着させれば、軟質の中栓１が壜口部の天面４のみならず内周５及び外周１４とも確実に密着することになり、非常に優れたシール性を得ることができる。
【００１３】
開栓の際にはスクリュー式の外蓋２を回転させるが、中栓１の円筒脚部６を壜口部に密着させた状態で回転させず、外蓋２のみを回転させればよい。このため全体を一体成形したキャップに比較して開栓が容易となり、子供の力によって開栓することができる。もし全体を一体成形した場合には、ガス圧により壜口部の内周５に密着している円筒脚部６をも回転させねばならないから、キャップの回転に強い力を必要とすることとなる。
【００１４】
このようにして外蓋２を回転させて行くと外蓋２は壜口部から上昇し、ガス圧により中栓１も外蓋２とともに押し上げられる。そして中栓１の円筒脚部６の下端が壜口部から外れた瞬間にポンという音が生ずる。このとき中栓１は外蓋２の内部にあるから、中栓１がコルク栓のように飛んで周囲に危険を及ぼすおそれはない。このため子供の集まった席でも安心して開栓することができる。
【００１５】
以上に述べたとおり、本発明の炭酸飲料用キャップは流通段階における炭酸ガスの洩れがないように壜口部を確実にシールすることができ、子供の力でも容易に開栓することができるうえ、開栓時にシャンパン飲料に特有のポンという音がするなどの利点がある。このため特にノンアルコールのシャンパン飲料に適するが、その他の炭酸飲料にも適用できることはいうまでもない。
【図面の簡単な説明】
【００１６】
【図１】本発明の実施形態を示す断面図である。
【図２】中栓の斜視図である。
【符号の説明】
【００１７】
１  中栓
２  外蓋
３  天板
４  壜口部の天面
５  壜口部の内周
６  円筒脚部
７  スカート部
８  スクリュー
９  ネジ山
１０  環状突起
１１  環状突起
１２  V字状部
１３  段部
１４  壜口部の外周
【図１】
2005186986.tif 000003
【図２】
2005186986.tif 000004